(57)【要約】【課題】可稔個体をほとんど含まず、安定して雄性不稔形質を示すライグラスの作出方法を提供すること。【解決手段】イタリアンライグラスのＩＩ型細胞質を有するイタリアンライグラスとペレニアルライグラスとを交配することを特徴とする、雄性不稔ライグラス類の作出方法。【選択図】  なし【特許請求の範囲】
【請求項１】
イタリアンライグラスのＩＩ型細胞質を有するイタリアンライグラスとペレニアルライグラスとを交配することを特徴とする、雄性不稔ライグラス類の作出方法。
【請求項２】
イタリアンライグラスが完全雄性不稔の表現型を示すものである、請求項１記載の作出方法。
【請求項３】
ペレニアルライグラスが品種「キヨサト」に由来するものである、請求項１又は２記載の作出方法。
【請求項４】
作出されるライグラス類が完全雄性不稔率９５％以上となる、請求項１〜３のいずれか１項に記載の作出方法。
【請求項５】
請求項１〜４のいずれか１項に記載の作出方法によって作出される雄性不稔ライグラス類。
【請求項６】
請求項５記載の雄性不稔ライグラス類とライグラス類又はフェスク類とを交配することを特徴とする、Ｆ１品種の育成方法。
【発明の詳細な説明】
【０００１】
【発明の属する技術分野】
本発明は、雄性不稔ライグラス類及びその作出方法に関する。また本発明は、雄性不稔ライグラス類とライグラス類又はフェスク類とのＦ１品種の育成方法に関する。
【０００２】
【従来の技術】
ライグラス類は重要な牧草であり、世界的にはペレニアルライグラス、日本においてはイタリアンライグラスが主に栽培されている。しかし、これらの作物は風媒他殖性であるため開花期に大量の花粉を飛散させ、この花粉が花粉症のアレルゲンとなるため問題になっている。
【０００３】
従来、細胞質雄性不稔を利用して花粉を出さない植物を作出することが試みられている。雄性不稔とは、雄性配偶子が受精能力を持たないことを指し、ライグラス類においては花粉が雄性配偶子に当たる。花粉が不稔の場合（雄性不稔）には、花粉は受精能力を持たない。一方、花粉が可稔の場合には、花粉は受精能力を有する。当技術分野においては、葯に含まれる花粉の約２０％以上が可稔性を示す（不稔率８０％未満）場合に、その葯が裂開して花粉を飛散させる可能性がある。一方、葯に含まれる花粉の約８０〜９５％以上が不稔性を示す個体（不稔率約８０〜９５％以上）は、葯が裂開せず、花粉症のアレルゲンにならない。このような葯が裂開しない程度に雄性不稔を示す個体は「完全雄性不稔」であるという。
【０００４】
例えば、トールフェスク及びオーチャードグラスにおいて、細胞質雄性不稔を利用した雄性不稔の系統が作出されている（それぞれ、特許文献１及び非特許文献１参照）。雄性不稔の機構は非常に複雑であり、細胞質と核の両者に存在する複数の遺伝子が関与している。例えば、生物種によっては稔性回復遺伝子が存在する。そのため、雄性不稔系統が得られた場合であっても、系統内に稔性回復遺伝子を持つ個体では稔性が回復して可稔個体となることが知られている。また雄性不稔系統はそれ自身のみで増殖が不可能なため、その系統を大量に確立することは困難である。従って、細胞質雄性不稔系統を大量に入手しようとする場合には、雄性不稔細胞質を持つ雄性不稔個体（群）と、雄性不稔を維持させる遺伝子型を持ち、かつ細胞質が正常可稔で雄性配偶子（花粉）もまた可稔である不稔を維持させるための系統（維持系統）とを得ることが必要である（非特許文献２参照）。しかし、トールフェスクにおいては、雄性不稔個体の稔性を回復させる遺伝子がないと考えられており、上述したような維持系統を育成するまでもなく、通常のトールフェスク（品種「ナンリョウ」）をそのまま不稔性維持系統として利用可能であった（特許文献１）。また、オーチャードグラスにおいては、稔性回復が核内の１つの遺伝子に支配されているため、雄性不稔細胞質を有する個体との検定交雑において、後代が高度に雄性不稔であった個体を選抜することにより、比較的容易に雄性不稔性維持系統を育成することが可能であった（非特許文献１）。
【０００５】
一方、イタリアンライグラスにおいても雄性不稔個体の作出が研究されているが、イタリアンライグラスのＩＩ型細胞質においては稔性回復に関係する遺伝子が核内に複数存在し、その遺伝子頻度が高いために、不稔性維持系統の作出は困難であると考えられている（非特許文献３）。また、これまでに作出された雄性不稔集団は、イタリアンライグラスだけではなく、近縁のペレニアルライグラスにおいても、いずれも可稔個体を含むものである（例えば、非特許文献４〜７参照）。つまり現在までに、可稔個体を全く又はほとんど含まない雄性不稔系統、あるいは雄性不稔系統を作製するために有用な維持系統は実用上育成されていない。可稔個体を含む雄性不稔系統の採種を行う場合、雄性不稔系統と維持系統との交配に際して、雄性不稔維持系統中に存在する可稔個体が花粉を飛散させる。この花粉は稔性回復遺伝子を持っているため、この花粉が雄性不稔系統に授粉することにより、次世代の雄性不稔系統（集団）における雄性不稔個体の割合はさらに低下する。これを回避するには、雄性不稔系統の開花期に、葯の観察によって可稔個体を除去する必要がある。これは非常に繁雑な作業であり、したがって雄性不稔系統に可稔個体が含まれることは、実用上大きな問題となる。また、このような不完全な雄性不稔系統を、ヘテロシス利用を狙ったＦ１採種や種・属間Ｆ１採種に用いると、雄性不稔系統中の可稔個体の花粉が雄性不稔系統自身に授粉してしまい、ヘテロシスを意図した組み合わせの交雑種子や種・属間雑種種子の割合が低い種子しか得られない。
【０００６】
従って、可稔性個体をほとんど含まない、すなわち高い完全雄性不稔率を維持する雄性不稔ライグラス類の作出方法を確立することが要望されていた。
【０００７】
【特許文献１】
特開２００１−２１１７７３号公報
【非特許文献１】
「花粉症を起こさないオーチャードグラスの細胞質雄性不稔系統」，北海道農業試験場，ホームページアドレスｈｔｔｐ：／／ｗｗｗ／ｃｒｙｏ．ａｆｆｒｃ．ｇｏ．ｊｐ／ｓｅｉｋａ／ｈ０９／ｃｒｙｏ９７０２８．ｈｔｍｌ
【非特許文献２】
「新しい植物育種技術  バイオテクノロジーの基盤として」，中島哲夫監修，第４６８−４７１頁，１９８７年，株式会社養賢堂
【非特許文献３】
田瀬ら，日本草地学会誌，４４別号，第１３２−１３３頁，１９９８年
【非特許文献４】
Ｇａｕｅ，  Ｉ．，Ｐｒｏｃ  １３  ｔｈ  Ｉｎｔ  Ｇｒａｓｓｌｄ  Ｃｏｎｇｒ．  Ｌｅｉｐｚｉｇ（ドイツ）１９７７年，ｐ．４３５−４３７
【非特許文献５】
Ｃｏｎｎｏｌｌｙ，  Ｖ．  ａｎｄ  Ｗｒｉｇｈｔ−Ｔｕｒｎｅｒ，  Ｒ．，Ｔｈｅｏｒ．  Ａｐｐｌ．  Ｇｅｎｅｔ．（ドイツ）１９８４年，第６８巻，ｐ．４４９−４５３
【非特許文献６】
Ｋｉａｎｇ，  Ａ．−Ｓ．，  Ｃｏｎｎｏｌｌｙ，  Ｖ．，  Ｋａｖａｎａｇｈ，  Ｔ．  Ａ．，Ｔｈｅｏｒ．  Ａｐｐｌ．  Ｇｅｎｅｔ．（ドイツ）１９９３年，第８６巻，ｐ．７８１−７８７
【非特許文献７】
Ｗｉｔ，  Ｆ．，Ｅｕｐｈｙｔｉｃａ（ＧＢ），１９７４年、第２３巻，ｐ．３１−３８
【０００８】
【発明が解決しようとする課題】
本発明は、可稔個体をほとんど含まず、安定して雄性不稔形質を示すライグラス類の作出方法を提供することを目的とする。
【０００９】
【課題を解決するための手段】
本発明者は、上記課題を解決すべく鋭意検討した結果、ＩＩ型細胞質を有し、表現型が完全雄性不稔であるイタリアンライグラスと、ペレニアルライグラス品種「キヨサト」由来の個体とを交配して得られたＦ１個体が全て完全雄性不稔（完全雄性不稔率１００％）であったことから、このような交配によって、可稔個体をほとんど含まないライグラス類を作出可能であるという知見を得、本発明を完成するに至った。
【００１０】
すなわち、本発明は、イタリアンライグラスのＩＩ型細胞質を有するイタリアンライグラスとペレニアルライグラスとを交配することを特徴とする、雄性不稔ハイブリッドライグラス類の作出方法である。
【００１１】
上記作出方法において、イタリアンライグラスとしては、ＩＩ型細胞質を有するもの、例えば完全雄性不稔の表現型を示すものを用いることが好ましい。またペレニアルライグラスとしては、任意の２倍体のペレニアルライグラスであれば特に限定されるものではないが、品種「キヨサト」に由来するものが挙げられる。
【００１２】
また上記方法により作出されるライグラス類は、イタリアンライグラスのＩＩ型細胞質を有し、ペレニアルライグラスに特異的に存在する雄性不稔性を維持する遺伝的要因を有することを特徴とする。
【００１３】
また上記方法により作出されるライグラス類（ハイブリッドライグラス）は、集団中の完全雄性不稔個体の割合（完全雄性不稔率）が９５％以上となることが好ましい。
本発明はまた、上記作出方法によって作出される雄性不稔ライグラス類である。
【００１４】
さらに本発明は、イタリアンライグラスのＩＩ型細胞質を有し、かつペレニアルライグラスに特異的に存在する雄性不稔性を維持する遺伝的要因を有することを特徴とする、雄性不稔ライグラス類である。
上記雄性不稔ライグラス類は、完全雄性不稔率が９５％以上であることが好ましい。
【００１５】
また本発明は、上記雄性不稔ライグラス類とライグラス類又はフェスク類とを交配することを特徴とする、Ｆ１品種の育成方法である。
【００１６】
【発明の実施の形態】
以下、本発明について詳細に説明する。
【００１７】
本発明に係る雄性不稔ライグラス類の作出方法（以下、「本作出方法」という）は、ＩＩ型細胞質を有するイタリアンライグラスとペレニアルライグラスとを交配することを特徴とする。
【００１８】
本発明において、「雄性不稔」とは、葯に含まれる花粉の不稔率が高いために葯が裂開せず、花粉が飛散しないことを指す。また「完全雄性不稔」とは、個体の葯に含まれる花粉が、葯が裂開しない程度の不稔率を示すことを指す。ライグラス類においては、完全雄性不稔は、花粉の不稔率が８０〜１００％の場合である。
【００１９】
ＩＩ型細胞質は、少なくとも１３種類あるイタリアンライグラスの細胞質の１つである（藤森ら、日本草地学会誌，４４別号，第１２８−１２９頁，１９９８年）。小松（日本草地学会誌，３３別，第２８９−２９０頁，１９８７年）は、イタリアンライグラス品種「ワセアオバ」から雄性不稔個体を見出し、細胞質と核遺伝子の相互作用により雄性不稔性が発現していることを発見した。この細胞質がＩＩ型細胞質である。このＩＩ型細胞質は、ミトコンドリアＤＮＡ（ｍｔ−ＤＮＡ）をプローブとする制限断片長多型（ＲＦＬＰ）解析により識別できる。
すなわち、緑葉などから抽出したＤＮＡをＥｃｏＲＩ等の制限酵素により消化する。続いて０．７％程度のアガロースゲルで電気泳動を行い、これをナイロンメンブレンにトランスファーする。ミトコンドリアの遺伝子であるＣｏｘＩＩ等をプローブとして、サザンハイブリダイゼーションを行うことにより、ＩＩ型細胞質を他の細胞質と区別することが可能となる。上記ミトコンドリア遺伝子としては、例えばチトクロムオキシダーゼサブユニットＩＩ（Ｆｏｘ  ＴＤ，  Ｌｅａｖｅｒ  ＣＪ  （１９８１）  Ｔｈｅ  Ｚｅａ  ｍａｙｓ  ｍｉｔｏｃｈｏｎｄｒｉａｌ  ｇｅｎｅ  ｅｎｃｏｄｉｎｇ  ｃｙｔｏｃｈｒｏｍｅ  ｏｘｉｄａｓｅ  ｓｕｂｕｎｉｔ  ＩＩ  ｈａｓ  ａｎ  ｉｎｔｅｒｖｅｎｉｇｎ  ｓｅｑｕｅｎｃｅ，  ａｎｄ  ｄｏｅｓ  ｎｏｔ  ｃｏｎｔａｉｎ  ＴＧＡ  ｃｏｄｏｎｓ，  Ｃｅｌｌ  ２６：３１５−３２３）などが知られており、それらの遺伝子に対するプローブの作製は、当技術分野で公知の手法に従って容易に行うことができる。
【００２０】
上述したようなＩＩ型細胞質を有するイタリアンライグラス個体に任意のライグラス類の花粉を交雑して得られた種子はＩＩ型細胞質を持つことになる。また、ＩＩ型細胞質を持ち、ランダムな遺伝子型を有するイタリアンライグラス集団の中には、ある割合で完全雄性不稔個体が含まれる。ＩＩ型細胞質を利用してイタリアンライグラスの雄性不稔個体を作製する場合には、完全雄性不稔個体の作出率は低く（約０〜３０％）、また雄性不稔個体が得られた場合でも、その雄性不稔系統を安定して大量に提供することは不可能であった。
【００２１】
本作出方法においては、上記ＩＩ型細胞質を有するイタリアンライグラスに任意のペレニアルライグラスを交配する。本発明においては、上記ＩＩ型細胞質を有するイタリアンライグラスは、完全雄性不稔の表現型を示すことが好ましい。
上述したように得られたＩＩ型細胞質を有するイタリアンライグラスの中から、完全雄性不稔の表現型を示す個体を選択するには、当業者に公知の任意の手法を採用することができる。例えば、イタリアンライグラスをポット又は圃場において正常に生育させる。その後、イタリアンライグラスの開花期に、小花から出たばかりの葯を取り、ルーペ又は肉眼によりその葯の裂開を調べる。イタリアンライグラスにおいては葯の裂開は環境の影響を受けやすいので、複数の葯を用いて確認し、また複数回調査を行うことが望ましい。また、同時に小花から出る直前の葯をスライドグラス上におき、酢酸カーミン溶液により可稔花粉を染色することにより、稔性花粉の割合を調べることが望ましい。
【００２２】
また本発明において利用可能なペレニアルライグラスは、ロリウム・ペレンネ（Ｌｏｌｉｕｍ  ｐｅｒｅｎｎｅ）に属する植物であれば特に限定されず、任意のものでよい。例えば、「キヨサト」、「Ｌｉｎｎ」などの公知品種が挙げられるが、ロリウム・ペレンネに属する植物であって、今後開発されるものもまた本発明において用いることが可能である。本発明においては特に「キヨサト」を用いることが好ましい。あるいは、本発明において利用可能なペレニアルライグラスは、雄性不稔を維持する遺伝的要因を有しているものとして定義することができる。本発明者はほぼ全てのペレニアルライグラスがその遺伝的要因を有していると考えているが、あるペレニアルライグラスがその遺伝的要因を有しているか否かは、以下のように検定することができる。
【００２３】
ＩＩ型細胞質型を持つ雄性不稔イタリアンライグラスと任意のペレニアルライグラスを単交配し、後代を得る。その後代の花粉稔性を調べることにより、雄性不稔を維持する遺伝的要因を有しているかどうかの検定ができる。得られる後代全てが完全雄性不稔になる場合、その後代を得るために利用した親個体は、雄性不稔を維持する遺伝的要因を持つと考えられるので、それらを選抜する。ペレニアルライグラスは永年性植物であるのでこれらの個体を、株分けし株保存することにより、花粉親として利用することが可能である。また、選抜した個体を、多交配することにより、雄性不稔を維持する遺伝的要因を持つ系統（雄性不稔維持系統）を育成することができる。
【００２４】
本発明者は、ＩＩ型細胞質を有し表現型が完全雄性不稔であるイタリアンライグラスとペレニアルライグラス品種「キヨサト」より任意に選抜した個体とを交配した場合に、得られる後代植物が全て完全雄性不稔（完全雄性不稔率１００％）を示した（実施例２参照）ことから、ペレニアルライグラスの中にはＩＩ型細胞質を持つライグラス個体の雄性不稔性を維持する遺伝的要因をもつ個体が存在するために、完全雄性不稔率の高い雄性不稔系統の作出が可能であったと推測している。
【００２５】
従って、本作出方法により得られる雄性不稔ライグラス類は、約８０〜１００％の確率、好ましくは約９５〜１００％の確率、最も好ましくは１００％の確率で完全雄性不稔となる。本明細書中、集団において完全雄性不稔を示す個体の確率（割合）を「完全雄性不稔率」ともいう。すなわち、「完全雄性不稔率が９５％である」とは、本作出方法により得られたライグラス集団のうち９５％が完全雄性不稔を示すことを意味する。また本作出方法により得られる雄性不稔ライグラス類は、その雄性不稔形質を安定して示すものである。
【００２６】
上記ＩＩ型細胞質を有し、好ましくは完全雄性不稔の表現型を示すイタリアンライグラスを種子親、ペレニアルライグラスを花粉親とし、交配する。交配手法は、他のライグラス類の花粉源から隔離されていることに留意する以外は一般的な手法に従い、例えば、袋掛け、風媒温室、又は周囲１ｋｍ以内に他のライグラス類の花粉源がないことが確認されている隔離圃場を利用することが好ましい。
【００２７】
上記交配により得られる後代のハイブリッドライグラスが、全て又は大部分の個体で完全雄性不稔になった場合、交配に用いたペレニアルライグラス個体は、ＩＩ型細胞質を持つライグラス個体の雄性不稔性を維持する遺伝的要因をもつ個体であると考えられる。
【００２８】
イタリアンライグラス種とペレニアルライグラス種は近縁であり、交配が容易であり、種子（Ｆ１）も大量に得ることができる。遠縁の種間の交雑により雄性不稔性個体を作出する手法は知られていたが、このような近縁の種間で完全な雄性不稔性系統が高頻度に得られることは驚くべき知見であった。本発明者は、この知見が、イタリアンライグラスのＩＩ型細胞質を有する個体の雄性不稔性を維持する遺伝子を有している結果であると考えている。
【００２９】
本作出方法により得られる雄性不稔ライグラス類は、葯に含まれる花粉の９５％以上、好ましくは１００％が不稔性を示す（不稔率９５％以上）こととなる。ライグラス類は、不稔率約８０％以上の場合に完全雄性不稔となることが知られている。従って、本作出方法により得られるライグラス類集団は、花粉の不稔率が高いため、全ての葯が裂開せず、完全雄性不稔の形質を示す。本作出方法により得られる雄性不稔ライグラスは、花粉を飛散させないため、牧草・芝草としての用途、及び以下に記載する育種改良における用途に有用である。
【００３０】
ライグラス類は他殖性であることが知られており、従来、育種改良においては表現型循環選抜法等により、集団中に優良遺伝子を集積させる方法が採用されていた。例えば、ヘテロシス（雑種強勢）を利用した雑種一代品種の育種においては、大量のＦ１種子が採種可能であることが必要であるが、正常な個体を利用した場合には除雄操作を行う必要があり、簡便かつ大量にＦ１種子を得ることは困難であった。しかしながら、本作出方法により系統内で受粉が起こらない雄性不稔系統が確立されることにより、ヘテロシスを利用する品種育成が容易となり、Ｆ１種子が大量に得られる。一般的には、ヘテロシスの効果は子実よりも茎葉部に強く現れることが知られており、茎葉部を有する牧草においては、ヘテロシスを利用した品種育成により、収量性の高い品種を育成することが可能となる。
【００３１】
従って本発明はさらに、雄性不稔ライグラスを利用することを特徴とする、ライグラス類又はフェスク類とのＦ１品種の育成方法に係るものである。当該方法においては、本作出方法により得られる雄性不稔ライグラスと、任意のライグラス類又はフェスク類とを交配し、Ｆ１植物を得る。使用可能なライグラス類及びフェスク類は特に限定されるものではなく、ライグラス類と交配して種子を得ることが可能なものであればよい。
【００３２】
【実施例】
以下の実施例によって本発明をさらに詳細に説明するが、本発明はこれらの実施例に限定されるものではない。
【００３３】
〔実施例１〕ＩＩ型細胞質を有する完全雄性不稔イタリアンライグラス個体の確保
イタリアンライグラス品種「ワセアオバ」中に見いだされたＩＩ型細胞質を有する雄性不稔個体の放任授粉後代個体について、それらの開花期に葯の観察をした結果、完全雄性不稔の個体が何個体か発見された。それらのうち１つをＣＬ１と名付けた。このＣＬ１を温室で株分け増殖した。
【００３４】
〔実施例２〕交配
ペレニアルライグラス品種「キヨサト」由来の個体から、任意に２個体（ＰＫ１，ＰＫ２）を選抜した。また、イタリアンライグラス品種「ワセユタカ」の中から、細胞質が正常型で、イタリアンライグラスＩＩ型細胞質を持つ個体との交雑後代において雄性不稔率の高い２個体（ＷＹ５，ＷＹ９；ＷＹ５はデータなし。ＷＹ９は雄性不稔率２５〜７８％）を選抜し、これらの個体間で単交配を行って、後代（Ｗ５９）系統を得た。
【００３５】
実施例１の完全雄性不稔イタリアンライグラスＣＬ１と、イタリアンライグラスＷ５９系統の２１個体との間、及び完全雄性不稔イタリアンライグラスＣＬ１と正常ペレニアルライグラス２個体（ＰＫ１，ＰＫ２）との間で交配・採種を行った。ＣＬ１×Ｗ５９系統２１個体の後代、ＣＬ１×ＰＫ１及びＣＬ１×ＰＫ２後代を播種・育成し、翌春花粉稔性を調査した。
【００３６】
表１に、ＣＬ１×ＰＫ１、ＣＬ１×ＰＫ２及びＣＬ１×Ｗ５９個体群の各組み合わせの花粉稔性を、完全不稔（１〜１０の評点で１〜３）、不稔〜やや可稔（４〜７）、やや可稔〜完全可稔（８〜１０）の段階で示す。
【００３７】
【表１】
2004222646.tif 000002
【００３８】
ＣＬ１×Ｗ５９系統の交配により得られた後代の花粉稔性は、葯の長さと充実度の観察により１０段階の評点を与えた（１：完全不稔〜１０：完全可稔）。この評点は、観察されたうち最も小さい葯を１、完全に正常な葯を１０とし、中間のものを８段階に分類した。また、一部の個体検鏡からおおむね評点１〜評点３までが完全雄性不稔であると考えられた。同様に評点８〜１０を「完全可稔又はそれに近い状態」と考え、その中間の評点４〜７を「不稔〜やや可稔」として分類した。
【００３９】
このＣＬ１×Ｗ５９系統においては、完全雄性不稔を示す個体が０〜２７％であり、雄性不稔性維持能が高いと考えられるイタリアンライグラス系統を花粉親に利用した場合であっても、完全雄性不稔の個体が得られる割合は低いことがわかる。
【００４０】
ＣＬ１×ＰＫ１交配により得られた後代の花粉稔性の調査方法は、以下の通りとした。開花直前の小花から葯を取りだし、葯をスライドグラス上で酢酸カーミン溶液に浸し、カバーグラスをかけて叩いて葯を押しつぶし、検鏡した。観察された花粉粒のうち、濃色に染色され、正常な大きさの花粉粒を可稔花粉粒と判定し、その割合を花粉稔性とした。
【００４１】
ＣＬ１×ＰＫ１交配により得られた後代においては、７１個体のうち３５個体では花粉粒が全く観察されなかった。２個体では１〜２％の可稔花粉粒が観察されたが、それ以外の個体では可稔花粉粒が全く観察されなかった。これまでの観察では可稔花粉の割合が約５％以下であれば、環境条件などにかかわらず葯が裂開して花粉飛散させることがない。従って、ＣＬ１×ＰＫ１交配により得られた後代個体は全て完全雄性不稔であると考えられた。従って表１において全ての個体を完全不稔に分類した。葯の観察による評点は付さなかったが、最も充実した葯でも３程度の大きさであった。
【００４２】
ＣＬ１×ＰＫ２交配により得られた後代に関しては、評点の付与や検鏡は行わなかったが、葯の観察により全ての個体が完全不稔であると考えられた。従って、全ての個体を完全不稔であると評価した。
【００４３】
ＣＬ１×ＰＫ２交配により得られた後代においても同様に、すべての個体が花粉稔性の評点３以下の完全雄性不稔であった。以上により、本発明の雄性不稔ライグラス類の作出方法により、得られる個体の全てが完全雄性不稔となり、従って、１００％の確率で雄性不稔率９５％以上の雄性不稔個体が得られた。
【００４４】
【発明の効果】
本発明により、雄性不稔ライグラス類の作出方法が提供される。かかる方法により、花粉症のアレルゲンとなる花粉を飛散させない、牧草・芝草用のライグラス類が作出される。本作出方法は、近縁なイタリアンライグラスとペレニアルライグラスとを交配するため、交雑が容易であり、大量に種子を得ることも可能である。また、本作出方法により、集団の９５％以上が完全雄性不稔となる雄性不稔ライグラスを作出することが可能である。
【００４５】
また、本作出方法により得られる雄性不稔ライグラスは、茎葉部を利用する牧草においては、ヘテロシスを利用した品種育成により、収量性の高い品種を育成するためにも有用である。また、永年性牧草として温暖な気候に適しているライグラスとトールフェスクのＦ１フェストロリウムの種子親としても利用できる。